(57)【要約】【課題】ウォーターハンマ現象などにより配管が振動したとしても、上側支持板が緩んで外れるなどの事故が有効に防止される配管支持金具を提供する。【解決手段】上側支持板の一方のボルト孔を閉じられた長孔とし、他方のボルト孔は開放部と掛止部とを有する長孔とし、或いは、両ボルト孔を開放部と掛止部とを有する長孔とし、ボルトに嵌挿した上側支持板を、ボルトへの係止位置が掛止部になるように、長孔に沿ってスライドさせ、ボルトからの脱落を防止する構成を有すると共に、上側支持板と下側支持板との間に係止手段を配設して、上側支持板が逆スライドしてボルトから脱落することを防止した機構を有することを特徴とする配管支持金具である。【選択図】　　図１
2004036706.tif 000002
【特許請求の範囲】
【請求項１】
上側支持板の一方のボルト孔を閉じられた長孔とし、他方のボルト孔は開放部と掛止部とを有する長孔とし、或いは、両ボルト孔を開放部と掛止部とを有する長孔とし、ボルトに嵌挿した上側支持板を、ボルトへの係止位置が掛止部になるように、長孔に沿ってスライドさせ、ボルトからの脱落を防止する構成を有すると共に、上側支持板と下側支持板との間に係止手段を配設して、上側支持板が逆スライドしてボルトから脱落することを防止した機構を有することを特徴とする配管支持金具。
【請求項２】
上側支持板と下側支持板との間に配設される係止手段が、上側支持板と下側支持板に設けられた凸部と凹部であることを特徴とする請求項１に記載の配管支持金具。
【請求項３】
上側支持板と下側支持板との間に配設される係止手段が、上側支持板ないし下側支持板に形成されている係止用突起と下側支持板ないし上側支持板に形成されている係止用切欠部ないし孔であることを特徴とする請求項１に記載の配管支持金具。
【発明の詳細な説明】
【０００１】
【発明の属する技術分野】
本発明は、配管を床面或いは壁面などに固定するのに利用される配管支持金具に関する。
【０００２】
【従来の技術】
従来、配管を床面或いは壁面などに固定するのに利用される配管支持金具としては、一般的に、例えば、基板上に１対のボルトを立設すると共に、このボルトに螺合するナットにより高さ調整しながら、配管の外径に対応する湾曲部を有し、前記ボルトを嵌挿させるための１対の円孔を備えている下側支持板（下側ブリッジ）を取り付け、次いで、該下側支持板の湾曲部（バンド）に配管を配設した上で、配管の外径に対応する湾曲部（バンド）を有する上側支持板（上側ブリッジ）を、円孔を介してボルトに取り付け、配管の上面に密着させた上で、最後に、上側支持板の上方からボルトに配設したナットにより、該上側支持板と下側支持板との締め付けて配管を固定する構成のものが知られている。
【０００３】
上記構成の配管支持金具では、特に上側支持板を、その端部に形成されている１対の円孔を夫々ボルトに嵌挿させなければならないので、作業能率の点で不満があり、円孔は一方側のみとし、他方を切込溝とする構成のものが、例えば実公昭５５−５４１３１号、実開昭５８−５０２８５号、同６０−７５７８３号、実開平６−８４０８８号、実公平８−３８０９号公報などで提案されている。
【０００４】
上記した構成の配管支持金具は、上側支持板の取り付け作業の能率化を図るという技術的要請を満足させるものであるが、ウォーターハンマ現象などによる配管の振動によりナットが緩んだ場合に上側支持板が外れ易いという、上記した取り付け作業の能率化を図るための構成が新たな課題を発生させることになっている。
【０００５】
本発明者は、上記した二律背反的な課題を解決するものとして、例えば、特許第３２７６８５７号に記載の配管用フロアバンドを提案した。
【０００６】
上記先提案に係る配管用フロアバンドは、上側支持板の一方のボルト孔を（閉じられた）円孔とし、他方のボルト孔は開放部を有する（円）孔とし、後者のボルト孔に近接して上側支持板がボルトから脱落するのを防止するための掛止部を配設した構成である。
【０００７】
本発明者は、上記先提案技術に付いて研究を続け、上側支持板の一方のボルト孔を（閉じられた）長孔とし、他方のボルト孔は開放部と掛止部とを有する長孔とし、或いは、両ボルト孔を開放部と掛止部とを有する長孔とし、ボルトに嵌挿した上側支持板を、ボルトへの係止位置が掛止部になるように、長孔に沿ってスライドさせ、ボルトからの脱落を防止する構成の改良技術を着想するに至った。
【０００８】
【発明が解決しようとする課題】
上記改良技術を実験してみると、次のような難点があり、更に改良の余地のあることが判明した。即ち、改良技術に係る配管支持金具では、上側支持板を配管に対して直角の方向にスライドさせるだけで、長孔の掛止部をボルトに掛止させる構成であるために、配管の振動などにより、上側支持板を下側支持板の方向に押圧するナットが緩んだ場合には、上側支持板が逆方向にスライドしてボルトが掛止部から外れてしまう事態が予見された。
【０００９】
ボルト孔の一方が閉じられた円孔である態様では、上側支持板がボルトから脱落することはないが、他端側がボルトから脱落してしまえば、配管支持は実質的に効力を失うことになる。ボルト孔の両者が開放部と掛止部とを有する長孔である態様では、上側支持板がボルトから完全に脱落してしまう事態も予見される。
【００１０】
更に、上側支持板及び下側支持板は、そのバンド部分の内径が、支持しようとする配管の外径に対応するものが選択されて使用されるが、製造上の精度からみると両径は完全に一致するものではなく、多少の差があることから、振動防止のためのゴムバンドなどを配置したとしても、配管は水平並びに垂直方向に僅かながらも振動することが考えられ、経時蓄積により上側支持板がボルトから脱落する危険は存在する。
【００１１】
本発明は、上記構成の配管支持金具における、上側支持板の脱落防止機構を明らかにすることを課題とするものである。
【００１２】
【課題を解決するための手段】
上記課題を解決する本発明は、下記構成を有する。
（１）上側支持板の一方のボルト孔を閉じられた長孔とし、他方のボルト孔は開放部と掛止部とを有する長孔とし、或いは、両ボルト孔を開放部と掛止部とを有する長孔とし、ボルトに嵌挿した上側支持板を、ボルトへの係止位置が掛止部になるように、長孔に沿ってスライドさせ、ボルトからの脱落を防止する構成を有すると共に、上側支持板と下側支持板との間に係止手段を配設して、上側支持板が逆スライドしてボルトから脱落することを防止した機構を有することを特徴とする配管支持金具。
【００１３】
（２）上側支持板と下側支持板との間に配設される係止手段が、上側支持板と下側支持板に設けられた凸部と凹部であることを特徴とする（１）に記載の配管支持金具。
【００１４】
（３）上側支持板と下側支持板との間に配設される係止手段が、上側支持板ないし下側支持板に形成されている係止用突起と下側支持板ないし上側支持板に形成されている係止用切欠部ないし孔であることを特徴とする（１）に記載の配管支持金具。
【００１５】
【発明の実施の形態】
図１１に従って、本発明が適用される従来の配管支持金具を説明する。この種の配管支持金具は、基板１に立設されている１対のボルト２に、支持しようとする配管３の高さに従って、下ナット４を取り付ける。次いで、下側支持板５を、両端側に形成されているボルト孔をボルト２に嵌挿させる形で取り付けて、湾曲部（バンド部）に配管を載置した後、上側支持板６を、下側支持板５と同様に、両端側に形成されているボルト孔をボルト２に嵌挿させる形で取り付けて、上ナット７の締め付けにより、上側支持板６と下側支持板５とを緊締することにより、配管３を支持（固定）する構成である。
【００１６】
先ず、図１に示す実施態様を説明する。
上側支持板６の一方の端部には、ボルト２のためのボルト孔として、閉じた長孔１０を用意し、他方の端部には、開放部１１が形成されている開放された長孔１２を用意する。開放された長孔１２は、その側部の全体でなく、一部が開放部１１となっているので、掛止部１３が形成されることになる。他方、下側支持板５の両端には、ボルト孔として円孔１４が配設されている。
【００１７】
そして、上側支持板６の一方の端部の下面には凸部１５が、下側支持板５の上面には凹部１６が形成されている。凸部１５と凹部１６とを設ける位置は、閉じた長孔１０ないし開放された長孔１２の長さに対応させてずれた位置関係となっている。閉じた長孔１０ないし開放された長孔１２の図面上右側の中心がボルト軸線Ａないしボルト軸線Ｂの位置にある初期位置から矢符Ａ方向にスライドさせ、即ち、ボルト２の側面が閉じた長孔１０ないし開放された長孔１２の図面上左側に接触するまでスライドさせたとき、凸部１５と凹部１６の位置が一致して互いに係止状態となる。
【００１８】
上記の実施態様では、上側支持板６をボルト２に取り付けるには、先ず、閉じた長孔１０だけを一方のボルト２に嵌挿させるだけでよく、他方の端部では、開放部１１を通じてボルト２に係合させることになる。
【００１９】
上側支持板６を１対のボルト２に係合させた状態で、矢符Ａ方向にスライドさせることにより、一方のボルト２を掛止部１３に係合させた状態で全体を下降させる。上側支持板６の下面が下側支持板５の上面に密接する位置まで下降させると、凸部１５と凹部１６とは係合状態に至る。次いで、上ナット７を締め付ければ、配管５の振動により、上側支持板６が反矢符Ｂ方向に逆スライドすることが阻止される。
【００２０】
上記の実施態様において、凸部１５は、上側支持板６の下面に立設した円柱或いは角柱などの突起により、或いは、端部の１部を折り曲げて形成した折曲部として構成することができる。また、凹部１６は、一定の深さを有する円孔ないし角孔或いは透孔として構成することができる。
【００２１】
上側支持板６を下側支持板５に固定するための係止手段としての凸部１５と凹部１６は、図１に示すように、上下支持板５・６の両端部に配設する構成とすることもできる。また、一方の端部側だけに配設する構成とすることもできるし、更には、係止手段である凹部１５と凸部１６とを入れ替えた構成であってもよい。以下に説明する実施態様においても同様である。
【００２２】
図２に示す実施態様は、上側支持板６を下側支持板５に固定するための係止手段として、上側支持板６の端部を折曲させて形成した係止用突起１７と、下側支持板５の端部に係止用切欠部１８とを配設した構成である。
【００２３】
この実施態様における配管支持金具の取り付け操作及び作用は、図１に示した実施態様と実質的に同一である。
【００２４】
図３に示す実施態様は、上側支持板６の両端部に配設するボルト孔を、開放部１１と掛止部１３を備えた開放された長孔１２とする構成である。この実施態様は、上側支持板６をボルト２に取り付けに際して、矢符Ｃ方向に嵌挿させる点が上記図１に示す実施態様と異なるだけで、他の構成は実質的に同一である。
【００２５】
図４に示す実施態様は、上側支持板６の一方のボルト孔を閉じた長孔１０とし、他方のボルト孔を開放された長孔１２とし、更に、開放部１１及び掛止部１３を設けると共に、開放部１１の一方の側に係止用突起１７を設け、下側支持板５の側に係止用切欠部（孔）１８を配設する構成である。
【００２６】
上記実施態様の変化例として、閉じた長孔１０の側も、開放された長孔１２の構成とし、この部分にも係止用突起１７と係止用切欠部（孔）１８から成る係止手段を配設する構成が挙げられる。
【００２７】
図５に示すように、係止用突起１７と係止用切欠部１８とを、下側支持板５及び上側支持板６の側面部に設ける構成とすることができる。また、他の実施態様も同様であるが、係止用突起１７と係止用切欠部１８とを、夫々下側支持板５ないし上側支持板６のどちらの側に配置するかは自由である。
【００２８】
図６に示すように、係止用突起１７と係止用切欠部（孔）１８とを、下側支持板５及び上側支持板６の平面部に設ける構成とすることができる。
【００２９】
図７に示すように、図１に示した態様の変化例として、凸部１５と凹部１６とを、プレスによる押圧加工により形成する構成も採用できる。図示の如き側面部に形成するのでなく、中央部に形成するようにしてもよい。
【００３０】
図８に示す態様は、図５に示す実施態様の変化例であり、係止用突起１７と係止用切欠部１８とを、上下支持板の端部側に配設する構成である。
【００３１】
図９に示す態様は、係止用突起１７と係止用切欠部１８とを、１対づつ配設する構成である。
【００３２】
図１０に示す態様は、係止手段として、ピンにより係止用突起１７を、ピン孔により係止用切欠部１８とを形成する構成である。
【００３３】
【発明の効果】
本発明によれば、上側支持板の少なくとも一方のボルト孔は開放された長孔であり、ボルトへの嵌挿は他方の長孔だけでよいので、配管支持作業の能率がよく、上側支持板をスライドさせることで、上側支持板の開放された長孔の掛止部をボルトに掛止させることができ、しかも、上側支持板と下側支持板との間には、上側支持板が逆スライドすることを防止する係止手段が配置されているので、ウォーターハンマ現象などにより配管が振動したとしても、上側支持板が緩んで外れるなどの事故が有効に防止され、頭記した課題が解決される。
【図面の簡単な説明】
【図１】本発明の１実施例を示す斜視図
【図２】本発明の他の実施例を示す斜視図
【図３】本発明の他の実施例を示す斜視図
【図４】本発明の他の実施例を示す斜視図
【図５】本発明の他の実施例を示す要部斜視図
【図６】本発明の他の実施例を示す要部斜視図
【図７】本発明の他の実施例を示す要部斜視図
【図８】本発明の他の実施例を示す要部斜視図
【図９】本発明の他の実施例を示す要部斜視図
【図１０】本発明の他の実施例を示す要部斜視図
【図１１】本発明が適用される従来の配管支持金具を示す正面図
【符号の説明】
１−基板
２−ボルト
３−配管
４−下ナット
５−下側支持板
６−上側支持板
７−上ナット
１０−閉じた長孔
１１−開放部
１２−開放された長孔
１３−掛止部
１４−円孔（ボルト孔）
１５−凸部
１６−凹部
１７−係止用突起
１８−係止用切欠部
【図１】
2004036706.tif 000003
【図２】
2004036706.tif 000004
【図３】
2004036706.tif 000005
【図４】
2004036706.tif 000006
【図５】
2004036706.tif 000007
【図６】
2004036706.tif 000008
【図７】
2004036706.tif 000009
【図８】
2004036706.tif 000010
【図９】
2004036706.tif 000011
【図１０】
2004036706.tif 000012
【図１１】
2004036706.tif 000013